(57)【要約】【課題】ＣＭ映像等の特定のコンテンツ映像の送出を正確かつ効率的に確認できる、放送装置を提供することにある。【解決手段】本実施形態の放送装置は、特定のコンテンツ映像を含む映像の放送を行う放送装置であって、第１の作成部と、前記特定のコンテンツ映像から放送用の映像信号を生成するビデオサーバと、第２の作成部と、画像比較部とを備えた構成である。前記第１の作成部は、放送用に準備された前記特定のコンテンツ映像から画面単位の第１の画像情報を作成する。前記第２の作成部は、前記放送用の映像信号から画面単位の第２の画像情報を作成する。前記画像比較部は、前記第１及び第２の画像情報の画像比較処理を実行して、前記第１及び第２の各画像情報の一致又は不一致を示す画像比較結果を出力する。【選択図】図１
2019192966.tif 000002
【特許請求の範囲】
【請求項１】
特定のコンテンツ映像を含む映像の放送を行う放送装置であって、
放送用に準備された前記特定のコンテンツ映像から画面単位の第１の画像情報を作成する第１の作成手段と、
前記特定のコンテンツ映像から放送用の映像信号を生成する手段と、
前記放送用の映像信号から画面単位の第２の画像情報を作成する第２の作成手段と、
前記第１及び第２の画像情報の画像比較処理を実行して、前記第１及び第２の画像情報の一致又は不一致を示す画像比較結果を出力する画像比較手段と、
を具備する放送装置。
【請求項２】
前記画像比較手段から出力される画像比較結果に基づいて、前記第１の画像情報に対応する前記放送用の映像信号の送出を確認する手段を有する、請求項１に記載の放送装置。
【請求項３】
前記第１の作成手段は、所定の時間間隔で前記特定のコンテンツ映像から複数画面の前記第１の画像情報を作成し、
前記第２の作成手段は、前記所定の時間間隔で前記放送用の映像信号から複数画面の前記第２の画像情報を作成し、
前記画像比較手段は、前記所定の時間間隔に基づいた同一時間位置の前記第１及び第２の画像情報の画像比較処理を実行する、請求項１又は２に記載の放送装置。
【請求項４】
前記画像比較手段は、
前記画像比較処理の実行時に、前記第１の画像情報の比較対象である前記第２の画像情報を、前記第２の作成手段から取得できない場合には、不一致を示す画像比較結果を出力する、請求項１から３のいずれか１項に記載の放送装置。
【請求項５】
前記画像比較手段は、
前記第１及び第２の画像情報の画像比較処理を実行して、同一時間位置毎に前記第１及び第２の各画像情報の一致又は不一致を示す情報を有する画像比較結果を出力する、請求項３に記載の放送装置。
【請求項６】
前記画像比較手段から出力される同一時間位置毎の画像比較結果に基づいて、前記第１の画像情報に対応する前記放送用の映像信号の送出を確認する手段を有する、請求項５に記載の放送装置。
【請求項７】
前記第１の作成手段は、放送用に準備された前記特定のコンテンツ映像の映像ファイルから複数画面の前記第１の画像情報を作成し、
前記第２の作成手段は、前記放送用の映像信号として、前記映像ファイルから生成し、多重化処理前の映像信号から複数画面の前記第２の画像情報を作成する、請求項１から６のいずれか１項に記載の放送装置。
【請求項８】
前記放送用の映像信号に基づいて多重化処理後の映像信号を送出する手段と、
前記第２の作成手段は、
前記多重化処理後の映像信号から前記第２の画像情報を作成する、請求項１から６のいずれか１項に記載の放送装置。
【請求項９】
請求項１から６のいずれか１項に記載の放送装置と、
前記放送用の映像信号に基づいて多重化処理後の映像信号を送出するマスター装置と、
を具備する放送システム。
【請求項１０】
特定のコンテンツ映像を含む映像の放送を行う放送装置に適用し、前記特定のコンテンツ映像を含む放送用映像信号の送出を確認する放送確認方法であって、
放送用に準備された前記特定のコンテンツ映像から画面単位の第１の画像情報を作成する第１の作成処理と、
前記特定のコンテンツ映像から放送用の映像信号を生成する処理と、
前記放送用の映像信号から画面単位の第２の画像情報を作成する第２の作成処理と、
前記第１及び第２の画像情報の画像比較処理を実行して、前記第１及び第２の画像情報の一致又は不一致を示す画像比較結果を出力する処理と、
を実行する放送確認方法。
【発明の詳細な説明】
【技術分野】
【０００１】
本発明の実施形態は、例えばテレビ放送局に適用する放送装置、放送システム及び放送確認方法に関する。
【背景技術】
【０００２】
従来、テレビ放送局は、広告主や広告代理店などの契約者（以下、スポンサーと総称する）が購入したＣＭ（Commercial Message:宣伝広告）放送枠に、スポンサーから提供されたＣＭ素材の映像信号（ＣＭ映像）を送出することで、ＣＭ放送を行っている。
【０００３】
テレビ放送局は、各ＣＭ素材にＣＭ確認コードを割り当て、当該ＣＭ確認コードに基づいてＣＭ映像の送出を確認することで、スポンサーに対して契約内容の実行を証明している。また、放送局のマスター設備の送出監視者等が目視で、当該ＣＭ映像の送出を確認している。さらに、当該ＣＭ映像の特徴量を抽出し、この特徴量に基づいてＣＭ映像の送出を確認する方法が提案されている。
【先行技術文献】
【特許文献】
【０００４】
【特許文献１】特開２００２−５８０４９号公報
【発明の概要】
【発明が解決しようとする課題】
【０００５】
ＣＭ確認コードや、ＣＭ映像の特徴量を利用する間接的な確認方法や、送出監視者の目視による確認方法は、ＣＭ映像の送出を正確かつ効率的に確認することは困難である。
【０００６】
そこで、目的は、ＣＭ映像等の特定のコンテンツ映像の送出を正確かつ効率的に確認できる、放送装置を提供することにある。
【課題を解決するための手段】
【０００７】
本実施形態の放送装置は、特定のコンテンツ映像を含む映像の放送を行う放送装置であって、第１の作成手段と、前記特定のコンテンツ映像から放送用の映像信号を生成する手段と、第２の作成手段と、画像比較手段とを備えた構成である。前記第１の作成手段は、放送用に準備された前記特定のコンテンツ映像から画面単位の第１の画像情報を作成する。前記第２の作成手段は、前記放送用の映像信号から画面単位の第２の画像情報を作成する。前記画像比較手段は、前記第１及び第２の画像情報の画像比較処理を実行して、前記第１及び第２の各画像情報の一致又は不一致を示す画像比較結果を出力する。
【図面の簡単な説明】
【０００８】
【図１】第１の実施形態に関する放送システムの構成を説明するためのブロック図。
【図２】第１の実施形態に関するＣＭ映像の送出確認処理を説明するためのフローチャート。
【図３】第２の実施形態に関する放送システムの構成を説明するためのブロック図。
【図４】第２の実施形態に関するＣＭ映像の送出確認処理を説明するためのフローチャート。
【発明を実施するための形態】
【０００９】
以下図面を参照して、実施形態を説明する。
［第１の実施形態］
図１は、本実施形態の放送システム１の構成を示すブロック図である。図１に示すように、本放送システム１は、上位システム１０と、管理情報データベース１１と、ビデオサーバ１２と、マスター設備１３と、ＣＭ映像送出の監視装置２０とを有する。
【００１０】
上位システム１０は、コンピュータシステム（EDPS: Electric Data Processing System）から構成される営業放送システムであり、複数のプログラムの映像を放送する。本実施形態では、上位システム１０は、予め設定される放送枠に、特定のコンテンツ映像である、スポンサーから提供されたＣＭ素材の映像信号（ＣＭ映像）を送出するＣＭ放送を管理する。上位システム１０は、各ＣＭ素材に割り当てられたＣＭ確認コード１００を管理情報データベース１１に格納する。
【００１１】
管理情報データベース１１は、ＣＭ確認コード１００を含む、ＣＭ映像を送出するための管理情報（ＣＭ映像ファイル等の映像ソースを除く）を格納するためのデータベースである。ビデオサーバ１２は、収録（提供）されたＣＭ素材の映像ファイル１２１を格納する記憶装置１２０を含み、当該映像ファイル１２１からＣＭ素材を再生した映像信号１２２をマスター設備１３に出力する。ビデオサーバ１２は、後述するように、ＣＭ素材の映像ファイル１２１を、ＣＭ映像送出の監視装置２０に出力する。
【００１２】
マスター設備１３は、放送システム１の中核設備であり、本実施形態のＣＭ映像を含む、放送用映像を送出する。マスター設備１３は、マスタースイッチャ１４、エンコーダ１５、及び多重化装置（MUX : multiplexer）１６を含む。
【００１３】
マスタースイッチャ１４は、マスター設備１３に対する映像入力信号を切り替える機能を含む。即ち、マスタースイッチャ１４は、ビデオサーバ１２から出力される映像信号１２２と、例えばスタジオ等で収録された映像ソース（図示せず）とを切り替えて、送出対象である映像信号１３０を出力する。なお、マスタースイッチャ１４は、ビデオサーバ１２から出力される映像信号１２２からＣＭ確認コードを抽出する機能を含む。
【００１４】
エンコーダ１５は、マスタースイッチャ１４により入力されるＣＭ素材の映像信号１３０を符号化し、放送用のトランスポート・ストリーム（放送ＴＳ）の伝送形式に変換する。多重化装置１６は、エンコーダ１５からの出力（ＣＭ映像）１３１に音声や字幕等を多重化した放送ＴＳ１３２（多重化処理後の映像信号）を送出する。
【００１５】
ＣＭ映像送出の監視装置２０は、収録映像の画面キャプチャ作成部２１、映像画面キャプチャ比較部２２、及び送出映像の画面キャプチャ作成部２３を含み、後述するように、ＣＭ映像の送出確認処理を実行する。
【００１６】
収録映像の画面キャプチャ作成部２１は、ビデオサーバ１２から出力される、ＣＭ素材の映像ファイル１２１を入力し、予め設定された時間間隔で、複数の画面キャプチャ情報（以下、単に画面キャプチャと表記する）を作成する。
【００１７】
画面キャプチャとは、映像ファイル１２１から作成される画面単位の画像情報（画像ファイル）である。ここで、時間間隔はフレーム単位で変更可能である。画面キャプチャ作成部２１は、予め時間間隔として、例えば１フレームに設定された場合には、映像ファイル１２１の全フレームの画面キャプチャを作成する。換言すれば、ＣＭ素材が１５秒の映像である場合、画面キャプチャ作成部２１は、例えば０秒の時間位置から１秒間隔で作成し、０秒から１４秒までの１５枚の画面キャプチャを作成する。
【００１８】
送出映像の画面キャプチャ作成部２３は、収録映像の画面キャプチャ作成部２１で設定された同一の時間間隔で、マスタースイッチャ１４から出力される映像信号１３０から複数の画面キャプチャを作成する。映像画面キャプチャ比較部２２は、各画面キャプチャ作成部２１，２３のそれぞれにより作成された、各画面キャプチャの画像比較処理（画素単位の比較処理）を実行する。
【００１９】
即ち、映像画面キャプチャ比較部２２は、各画面キャプチャの画像比較処理により一致または不一致であるかを示す比較結果を端末装置２４に出力する。端末装置２４は、当該比較結果から、収録されたＣＭ映像に対して、送出されるＣＭ映像が一致するか否かを照合した照合結果を取得して、当該照合結果をディスプレイに表示できる。
［放送システムの動作］
以下、図２のフローチャートを参照して、本実施形態のシステム１の動作、及びＣＭ映像送出の監視装置２０によるＣＭ映像の送出確認処理を説明する。
【００２０】
まず、ビデオサーバ１２は、収録（提供）されたＣＭ素材の映像ファイル１２１を記憶装置１２０に格納すると、当該映像ファイル１２１を監視装置２０の画面キャプチャ作成部２１に出力する。
【００２１】
次に、ビデオサーバ１２は、ＣＭ映像の送出時刻になると、管理情報データベース１１から当該ＣＭ素材のＣＭ確認コード１００を含む管理情報１１０を取得する。ビデオサーバ１２は、管理情報に基づいて送出対象のＣＭ素材の映像ファイル１２１を特定し、当該映像ファイル１２１からＣＭ確認コード１００を重畳した映像信号１２２を再生する。ここで、ビデオサーバ１２は、当該映像信号１２２に含まれるアンシラリ（ancillary）領域（ＡＮＣ領域）にＣＭ確認コード１００を重畳する。
【００２２】
ビデオサーバ１２は、再生した映像信号１２２をマスター設備１３に出力する。マスター設備１３では、マスタースイッチャ１４は、ＣＭ確認コード１００を重畳した映像信号１２２を、送出対象のＣＭ素材の映像信号１３０として出力する。このＣＭ素材の映像信号１３０は、エンコーダ１５及び多重化装置１６により、音声や字幕等を多重化した放送ＴＳ１３２として送出される。
【００２３】
このような放送システム１の動作において、図２のフローチャートを参照して、本実施形態のＣＭ映像送出の監視装置２０によるＣＭ映像の送出確認処理を説明する。
【００２４】
監視装置２０では、収録映像の画面キャプチャ作成部２１は、ビデオサーバ１２から出力されるＣＭ素材の映像ファイル１２１を取得する（Ｓ１）。前述したように、画面キャプチャ作成部２１は、予め設定された時間間隔で、複数（ｎ）の画面キャプチャ（A[0]-A[n-1]）を作成する（Ｓ２）。画面キャプチャ作成部２１は、例えば、ＣＭ素材が１５秒の映像である場合、例えば０秒の時間位置から１秒間隔で作成し、０秒から１４秒までの１５枚（n枚）の画面キャプチャを作成する。
【００２５】
ＣＭ映像の送出時刻になると（Ｓ３のＹＥＳ）、前述したように、マスタースイッチャ１４から映像信号１３０が出力される。送出映像の画面キャプチャ作成部２３は、映像信号１３０に重畳されたＣＭ確認コード１００を検知すると、映像信号１３０から複数（ｎ）の画面キャプチャ（B[0]-B[n-1]）の作成を開始する（Ｓ４）。画面キャプチャ作成部２３は、収録映像の画面キャプチャ作成部２１で設定された同一の時間間隔で、画面キャプチャ（B[0]-B[n-1]）の作成を開始する。
【００２６】
映像画面キャプチャ比較部２２は、送出映像の画面キャプチャ作成部２３の動作とほぼ同時に画像比較処理を開始する（Ｓ５）。映像画面キャプチャ比較部２２は、収録映像の画面キャプチャ作成部２１により作成された画面キャプチャ（A[0]-A[n-1]）の総枚数（n=15）を記録する。さらに、映像画面キャプチャ比較部２２は、画面キャプチャ作成部２１により作成された画面キャプチャ（A[0]-A[n-1]）を取得する（Ｓ６）。
【００２７】
映像画面キャプチャ比較部２２は、送出映像の画面キャプチャ作成部２３により作成された画面キャプチャ（B[i]、初期値i=０）を取得し（Ｓ７）、収録映像の画面キャプチャ（A[i]）との画像比較処理を実行する。ここで、各画面キャプチャ（A[i]、B[i]）のデータ形式は、映像画面キャプチャ比較部２２の画像比較処理の方法に依存する。本実施形態では、映像画面キャプチャ比較部２２は、例えば、各画面キャプチャの画素（ピクセル）単位の画像比較処理を実行する。
【００２８】
映像画面キャプチャ比較部２２は、送出映像の画面キャプチャ作成部２３から画面キャプチャ（B[i]）を取得できない場合（Ｓ８のＮＯ）には、比較結果（C[i]）として不一致を示す不一致フラグ値（０）をセットする（Ｓ１０）。
【００２９】
ここで、本実施形態では、例えば、ＣＭ素材が１５秒の映像である場合、各画面キャプチャは、０秒の時間位置から１秒間隔で、０秒から１４秒までの１５枚（n枚）が作成される。映像画面キャプチャ比較部２２は、０秒の同一時間位置で作成された画面キャプチャ（A[0]）と画面キャプチャ（B[0]）との画像比較を行う場合に、送出映像の画面キャプチャ（B[0]）を取得できないときに、比較結果（C[0]）として不一致フラグ値（０）をセットする。この場合、マスタースイッチャ１４から出力される映像信号１３０には、０秒の時間位置に対応するＣＭ画像が、何らかの要因で抜け落ちていることになる。
【００３０】
図２に戻って、映像画面キャプチャ比較部２２は、送出映像の画面キャプチャ（B[i]）と収録映像の画面キャプチャ（A[i]）との画像比較結果が不一致であれば（Ｓ９のＮＯ）、比較結果（C[i]）として不一致フラグ値（０）をセットする（Ｓ１０）。
【００３１】
一方、映像画面キャプチャ比較部２２は、送出映像の画面キャプチャ（B[i]）と収録映像の画面キャプチャ（A[i]）との画像比較結果が一致であれば（Ｓ９のＹＥＳ）、比較結果（C[i]）として一致フラグ値（１）をセットする（Ｓ１１）。
【００３２】
映像画面キャプチャ比較部２２は、例えば、０秒の時間位置から１４秒の時間位置までの１５枚（i=n-1）分が完了するまで、前述の各画面キャプチャ（B[i]）、A[i]）の画像比較処理を繰り返す（Ｓ１２、Ｓ１３のＮＯ）。映像画面キャプチャ比較部２２は、画像比較処理が完了すると（Ｓ１３のＹＥＳ）、当該比較結果（C[0]-C[n-1]）を出力する（Ｓ１４）。
【００３３】
以上のように本実施形態によれば、同一時間位置毎に、収録映像の画面キャプチャと、送出映像の画面キャプチャとの画像比較処理を実行することにより、比較結果（C[0]-C[n-1]）を出力する。この比較結果（C[0]-C[n-1]）に基づいて、収録されたＣＭ映像に対して、送出されるＣＭ映像が一致するか否かを照合し、この照合結果に基づいてＣＭ映像の送出確認を行うことができる。
【００３４】
具体例として、例えば、ＣＭ素材が１５秒の収録映像である場合、０秒から１４秒までの１５枚の各画面キャプチャにおいて、一致フラグ値（１）がセットされた比較結果（C[0]-C[8]）、及び不一致フラグ値（０）がセットされた比較結果（C[9]-C[14]）が得られたとする。この場合、マスタースイッチャ１４から出力される映像信号１３０に基づいて、８秒目のＣＭ映像が送出された直後に、例えばビデオサーバ１２での障害発生により、９秒目以降のＣＭ映像の送出が正常でないことを確認できる。
【００３５】
本実施形態では、端末装置２４は、映像画面キャプチャ比較部２２からの比較結果から、収録されたＣＭ映像に対して、送出されるＣＭ映像が一致するか否かを照合した照合結果を取得して、当該照合結果をディスプレイに表示できる。これにより、送出監視者は、端末装置２４のディスプレイ上において、ＣＭ映像の送出を確認できる。即ち、所定の時間間隔において、どの時間のＣＭ映像が送出できなかったか、または完全に送出できたかを確認し、証明することが可能となる。
【００３６】
具体例としては、照合結果として、例えば１５枚の各画面キャプチャに対して、全て一致フラグ値（１）がセットされていれば、１５秒のＣＭ素材の映像は正常に送出されて、放送されたものと確認できる。一方、不一致フラグ値（０）がセットされている場合には、例えばビデオサーバ１２又はマスタースイッチャ１４における障害により、該当する時間位置のＣＭ映像は正常に送出されていないことを確認できる。
【００３７】
本実施形態のＣＭ映像の送出確認方法であれば、従来のＣＭ確認コードを送出映像から抽出してＣＭ映像の送出確認を行う間接的な方法に対して、ＣＭ映像の画面キャプチャから直接的に送出確認を行うため、ＣＭ映像送出の全部または部分を正確に確認できる。また、送出監視者の目視による確認方法に対して、送出監視者は、例えば端末装置２４のディスプレイ上で照合結果を確認するだけで、ＣＭ映像の一部を見落とすようなことはなく、正確かつ効率的にＣＭ映像の送出確認を行うことができる。さらに、ＣＭ映像の特徴量を利用する間接的な方法に対しても、ＣＭ映像の直接的な送出確認方法であるため、ＣＭ映像送出の全部または部分を正確に確認できる。
【００３８】
なお、本実施形態では、収録映像と送出映像の各画面キャプチャにおいて、例えば１５枚分の画像比較処理を行なう場合について説明したが、これに限ることなく、画像比較対象の画面キャプチャを選択する方法でも良い。例えば、０秒の時間位置から１４秒の時間位置までの範囲で、０秒、５秒、１０秒、１４秒の４枚分の画像比較処理でも良い。これにより、１５枚分の画像比較処理を行なう場合と比較して、画像比較処理の高速化を実現できる。
【００３９】
但し、この方法では、ＣＭ映像の送出確認は、例えば４枚分の比較結果が一致であれば、ほぼＣＭ映像が正常に送出されていると推測となる。従って、例えば１４秒目の比較結果が不一致の場合には、１１秒目以降のＣＭ映像は正常に送出されていない可能性があるため、この範囲の画像比較処理を再度行うことが必要となる場合がある。
［第２の実施形態］
図３は、第２の実施形態に関する放送システム２の構成を示すブロック図である。本実施形態では、図３に示すように、放送システム２は、ＣＭ確認コード照合部１７を含む構成である。なお、ＣＭ確認コード照合部１７及び関連する構成以外については、図１に示す放送システム1の構成と同様であるため、同一符号を付して説明を省略する。
【００４０】
ＣＭ確認コード照合部１７は、管理情報データベース１１から当該ＣＭ素材のＣＭ確認コード１００と、マスタースイッチャ１４により映像信号１２２から抽出されたＣＭ確認コード１２３とを照合する。ＣＭ確認コード照合部１７は、照合結果が一致であれば、送出映像の画面キャプチャ作成部２３に対してＣＭ確認コード１００の検出を示す通知１７０を行う。送出映像の画面キャプチャ作成部２３は、ＣＭ確認コード照合部１７からの通知１７０に応じて、多重化装置１６から出力される放送ＴＳ１３２から複数の画面キャプチャを作成する。
【００４１】
本放送システム２においても、ビデオサーバ１２及びマスター設備１３は同様の動作を実行する。即ち、ビデオサーバ１２は、再生した映像信号１２２をマスター設備１３に出力する。マスター設備１３は、マスタースイッチャ１４、エンコーダ１５及び多重化装置１６を経由して、放送ＴＳ１３２を送出する。
【００４２】
以下、図４のフローチャートを参照して、本実施形態のＣＭ映像送出の監視装置２０によるＣＭ映像の送出確認処理を説明する。
【００４３】
本実施形態においても、監視装置２０では、収録映像の画面キャプチャ作成部２１は、ビデオサーバ１２から出力されるＣＭ素材の映像ファイル１２１を取得する（Ｓ２０）。画面キャプチャ作成部２１は、予め設定された時間間隔（例えば０秒の時間位置から１秒間隔）で、複数（ｎ）の画面キャプチャ（A[0]-A[n-1]）を作成する（Ｓ２１）。即ち、画面キャプチャ作成部２１は、例えば０秒から１４秒までの１５枚（n枚）の画面キャプチャを作成する。
【００４４】
ＣＭ映像の送出時刻になると（Ｓ２２のＹＥＳ）、送出映像の画面キャプチャ作成部２３は、ＣＭ確認コード照合部１７からＣＭ確認コード１００の検知通知１７０を入力すると（Ｓ２３）、複数（ｎ）の画面キャプチャ（B[0]-B[n-1]）の作成を開始する（Ｓ２４）。
【００４５】
ここで、本実施形態では、ＣＭ確認コード照合部１７は、管理情報データベース１１から当該ＣＭ素材のＣＭ確認コード１００と、マスタースイッチャ１４により映像信号１２２から抽出されたＣＭ確認コード１２３とを照合する。従って、マスタースイッチャ１４から出力される映像信号１３０には、ＣＭ確認コード１００は含まれていない。
【００４６】
そこで、送出映像の画面キャプチャ作成部２３は、ＣＭ確認コード照合部１７からＣＭ確認コード１００の検知通知１７０の入力に応じて、画面キャプチャ（B[0]-B[n-1]）の作成を開始する。さらに、本実施形態では、送出映像の画面キャプチャ作成部２３は、マスタースイッチャ１４から出力される映像信号１３０ではなく、多重化装置１６から出力される放送ＴＳ１３２から画面キャプチャ（B[0]-B[n-1]）を作成する。この場合、画面キャプチャ作成部２３は、エンコーダ１５及び多重化装置１６を経由して、放送ＴＳ１３２が到達するまでの遅延時間（固定値）を前提として画面キャプチャ（B[0]-B[n-1]）の作成を開始する。
【００４７】
本実施形態において、これ以降の処理（Ｓ２５〜Ｓ３４）は、図２に示す第１の実施形態の場合の処理（Ｓ５〜Ｓ１４）と同様であるため、説明を省略する。
【００４８】
以上のように本実施形態においても、前述した第１の実施形態と同様に、ＣＭ映像の画面キャプチャから直接的に送出確認を行うため、ＣＭ映像送出の全部または部分を正確に確認できる。また、送出監視者の目視による確認方法に対して、送出監視者は、例えば端末装置２４のディスプレイ上で照合結果を確認するだけで、ＣＭ映像の一部を見落とすようなことはなく、正確かつ効率的にＣＭ映像の送出確認を行うことができる。さらに、ＣＭ映像の特徴量を利用する間接的な方法に対しても、ＣＭ映像の直接的な送出確認方法であるため、ＣＭ映像送出の全部または部分を正確に確認できる。
【００４９】
さらに、本実施形態によれば、マスタースイッチャ１４、エンコーダ１５及び多重化装置１６を経由した放送ＴＳ１３２に基づいて、ＣＭ映像の送出を確認できる。従って、マスタースイッチャ１４、エンコーダ１５及び多重化装置１６のいずれかに障害が発生した場合でも、ＣＭ映像の送出が正常でないことを確認できる。これに対して、前述の第1の実施形態の場合には、ビデオサーバ１２又はマスタースイッチャ１４での障害発生により、ＣＭ映像の送出が正常でないことを確認できるが、エンコーダ１５及び多重化装置１６のいずれの障害発生の場合には対処できない。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１、２…放送システム、１０…上位システム、１１…管理情報データベース、
１２…ビデオサーバ、１３…マスター設備、１４…マスタースイッチャ、
１５…エンコーダ、１６…多重化装置、１７…ＣＭ確認コード照合部、
２０…監視装置、２１…収録映像の画面キャプチャ作成部、
２２…映像画面キャプチャ比較部、２３…送出映像の画面キャプチャ作成部。
【図１】
2019192966.tif 000003
【図２】
2019192966.tif 000004
【図３】
2019192966.tif 000005
【図４】
2019192966.tif 000006